(57)【要約】      （修正有）【課題】本発明は、温熱とエアセルを用いた便秘治療器を提供する。【解決手段】曲面型フレームの内部空間部に設置され、エアセル部材に供給管１を介して生成された空気を供給する真空モータ１４０と、右側下部の温熱／マッサージモジュール、右側の温熱／マッサージモジュール、中央の温熱／マッサージモジュール、左側下部の温熱／マッサージモジュール、及び左側の温熱／マッサージモジュールで構成され、各温熱／マッサージモジュールが、エアセル部材、及び温熱発生モジュール１５０−３からなる温熱／マッサージモジュール集合と、５つのピースに分割されている温熱／マッサージモジュールの分割されたピースごとに温熱発生モジュール及びエアセル部材に対する制御を行う制御部と、を備える。【選択図】図６
2019181151.tif 000002
【特許請求の範囲】
【請求項１】
曲面型フレーム１１０の内部空間部に設置され、エアセル部材に供給管１を介して生成された空気を供給する真空モータ１４０と、
右側下部の温熱／マッサージモジュール１５０ａ、右側の温熱／マッサージモジュール１５０ｂ、中央の温熱／マッサージモジュール１５０ｃ、左側下部の温熱／マッサージモジュール１５０ｄ、及び左側の温熱／マッサージモジュール１５０ｅで構成され、各温熱／マッサージモジュール１５０ａ〜１５０ｅが、エアセル部材、及び温熱発生モジュール１５０−３からなる温熱／マッサージモジュール集合１５０ａ〜１５０ｅと、
複数のピースに分割されている前記温熱／マッサージモジュール１５０ａ〜１５０ｅの分割されたピースごとに温熱発生モジュール１５０−３及びエアセル部材に対する制御を行う制御部１８０と、を備え、
前記エアセル部材は、上部エアセル１５０−１及び下部エアセル１５０−２の２重構造から構成され、
前記下部エアセル１５０−２の空気供給口の直径が、前記上部エアセル１５０−１の空気供給口の直径よりも大きく形成され、
前記供給管１は、前記下部エアセル１５０−２と連結されるように備えられ、
前記真空モータ１４０から供給された空気は、前記供給管１を介して前記下部エアセル１５０−２の空気供給口を経てから前記上部エアセル１５０−１の空気供給口を介して供給され、前記下部エアセル１５０−２及び前記上部エアセル１５０−１に順次空気を注入することを特徴とする、温熱とエアセルを用いた便秘治療器。
【請求項２】
温熱とエアセルを用いた便秘治療器１００の曲面型フレーム１１０の内部空間部内において、前記供給管１に設置され、空気の流れを制御するためにそれぞれがソレノイド弁１７０で形成されるソレノイド弁集合１７０ａ〜１７０ｅをさらに備えることを特徴とする、請求項１に記載の温熱とエアセルを用いた便秘治療器。
【請求項３】
前記ソレノイド弁集合１７０ａ〜１７０ｅは、前記温熱／マッサージモジュール集合１５０ａ〜１５０ｅのうち少なくとも一つの前記温熱／マッサージモジュールの前記エアセル部材に対する空気の注入及び排出を行うことを特徴とする、請求項２に記載の温熱とエアセルを用いた便秘治療器。
【請求項４】
前記温熱発生モジュール１５０−３及び前記エアセル１５０−１、１５０−２は、人体と接する温熱発生モジュール１５０−３の上部にエアセル部材が重なる形状に形成されることを特徴とする、請求項１に記載の温熱とエアセルを用いた便秘治療器。
【請求項５】
前記温熱発生モジュール１５０−３は、内側で人体の肌と接するように配置されることを特徴とする、請求項１に記載の温熱とエアセルを用いた便秘治療器。
【発明の詳細な説明】
【技術分野】
【０００１】
本発明は、温熱とエアセル部材を用いた便秘治療器に関し、さらに詳しくは、大腸の運動とマッチする循環制御構造及び人体の骨格構造に応じた構造を提供するための温熱とエアセル部材を用いた便秘治療器に関する。
【背景技術】
【０００２】
便秘は、頻繁に発生する消化器症状であり、西欧では２０％、韓国内でも徐々に増加して１６．５％の有病率が報告されており、女性や子供、高齢者などにおいてはさらに増加している。
【０００３】
便秘が日常生活に及ぼす影響は割と深刻であり、日常生活における単なる不便と感じる程度に留まらず、精神的な苦痛を与えたり、さらには薬物の乱用、副作用などによる深刻な結果をもたらすこともある。
【０００４】
便秘は、内分泌疾患、代謝性疾患、神経学的障害、あるいは大腸癌のような器質性疾患によって生じることもあるが、その多くは原因を特定できない機能性便秘の症状を見せるので治療が困難である。また、便秘の関連症状は、主に断続的かつ軽症である場合が多いが、慢性的に長引くために治療が困難な疾患である。
【０００５】
便秘は、非常に多発し、症状の好転と悪化が繰り返されるといった慢性的な疾患であるので、生活の質を低下させ、医学的利用のみならず、身体的・精神的な機能低下を引き起こし、社会経済的な損失をもたらす。ゆえに、適切な便秘の治療指針の開発は、現在の制限的医療資源の有効利用に繋がるだけでなく、患者の好転によって社会経済的な利益が高いものと判断され、日常生活において便秘治療に容易かつ効果的な支援を提供できる機器が引き続き開発されている。
【０００６】
近年において、便秘治療のための腹部マッサージ器として提供される治療器は、主に機械的な装置によるマッサージ器のみが存在しており、温熱とエアセル部材を用いたマッサージ器は、僅かであるのが現状である。
【０００７】
このような温熱とエアセル部材を用いたマッサージ器は、エアセル部材を個別に動作させるのではなく、全体的に空気を注入及び排出することでマッサージ機能を提供する。
【０００８】
従って、腹部の場合は、大腸が蠕動運動をしていることから、誤った形でマッサージを行うと、むしろ食べ物などが逆流する現象が生じ兼ねないので腹部マッサージ器としては適してないといった限界がある。
【０００９】
そのことから、当該技術分野においては、温熱とエアセル部材を用いる上で、従来の機械的な装置でマッサージを行う場合には、押圧する圧力を調整することができないといった問題点を解決し、大腸の蠕動運動に応じて食べ物などが逆流しないようにするための技術開発が求められている。
【発明の概要】
【発明が解決しようとする課題】
【００１０】
本発明は、前記課題を解決するためのものであり、慢性便秘の緩和のための補完療法として、腹部マッサージを温熱とともに提供し、エアセル部材を活用することで、過剰な圧力により腸内部の食べ物が逆方向に逆流（腸捻転の発生）することを抑えるための温熱とエアセル部材を用いた便秘治療器を提供することを目的とする。
【００１１】
また、本発明は、腹部筋肉の強化、腸の蠕動運動の亢進、腸の通過時間の減少及び大腸の規則性と排便機能を促すことで便秘症状を改善するための温熱とエアセル部材を用いた便秘治療器を提供することを目的とする。
【００１２】
また、本発明は、腹部マッサージを活用することで、非侵襲的であり、人体に有害な副作用がなく、簡単に行えるので患者自ら十分に実施できるようにするための温熱とエアセル部材を用いた便秘治療器を提供することを目的とする。
【００１３】
しかしながら、本発明の目的は、前述の目的に限定されるものではなく、言及されていない他の目的は、以下の記載から本発明の属する技術分野における通常の知識を有する者に明確に理解されるであろう。
【課題を解決するための手段】
【００１４】
前記のような目的を達成するために、本発明の実施形態に係る温熱とエアセルを用いた便秘治療器は、曲面型フレーム１１０の内部空間部に設置され、エアセル部材に供給管１を介して生成された空気を供給する真空モータ１４０と、右側下部の温熱／マッサージモジュール１５０ａ、右側の温熱／マッサージモジュール１５０ｂ、中央の温熱／マッサージモジュール１５０ｃ、左側下部の温熱／マッサージモジュール１５０ｄ、及び左側の温熱／マッサージモジュール１５０ｅで構成され、各温熱／マッサージモジュール１５０ａ〜１５０ｅが、エアセル部材、及び温熱発生モジュール１５０−３からなる温熱／マッサージモジュール集合１５０ａ〜１５０ｅと、５つのピースに分割されている温熱／マッサージモジュール１５０ａ〜１５０ｅの分割されたピースごとに温熱発生モジュール１５０−３及びエアセル部材に対する制御を行う制御部１８０と、を備えることを特徴とする。
【００１５】
このとき、本発明は、温熱とエアセルを用いた便秘治療器１００の曲面型フレーム１１０の内部空間部内において、供給管１に設置され、空気の流れを制御するためにそれぞれがソレノイド弁１７０で形成されるソレノイド弁集合１７０ａ〜１７０ｅをさらに備えることを特徴とする。
【００１６】
また、ソレノイド弁集合１７０ａ〜１７０ｅは、真空モータ１４０で生成されて供給された空気の温熱／マッサージモジュール集合１５０ａ〜１５０ｅのうち少なくとも一つの温熱／マッサージモジュールのエアセル部材に対する空気の注入及び排出を行うことを特徴とする。
【００１７】
さらに、ソレノイド弁集合１７０ａ〜１７０ｅは、右側下部のソレノイド弁１７０ａ、右側のソレノイド弁１７０ｂ、中央のソレノイド弁１７０ｃ、左側下部のソレノイド弁１７０ｄ、及び左側のソレノイド弁１７０ｄで構成されることを特徴とする。
【００１８】
また、本発明において、温熱発生モジュール１５０−３及びエアセル部材は、人体と接する温熱発生モジュール１５０−３の上部にエアセル部材が重なる形状に形成されることを特徴とする。
【００１９】
また、温熱発生モジュール１５０−３は、内側で人体の肌と接するように配置されることを特徴とする。
【００２０】
さらに、エアセル部材は、上部エアセル１５０−１及び下部エアセル１５０−２の２重構造からなることを特徴とする。
【００２１】
また、本発明において、下部エアセル１５０−２の空気供給口の直径が、上部エアセル１５０−１の空気供給口の直径よりも大きく形成されることを特徴とする。
【００２２】
また、上部エアセル１５０−１及び下部エアセル１５０−２は、ＴＰＵ（ポリウレタン素材）で形成されることを特徴とする。
【００２３】
さらに、本発明において、上部エアセル１５０−１、下部エアセル１５０−２、及び温熱発生モジュール１５０−３を有する分割部分（５ピース）は、上部は、一つのピースに該当する中央の温熱／マッサージモジュール１５０ｃで形成され、下部は、２つのピースである右側下部の温熱／マッサージモジュール１５０ａ及び左側下部の温熱／マッサージモジュール１５０ｄ、さらに、左、右側のそれぞれのピースに該当する左側の温熱／マッサージモジュール１５０ｅ、右側の温熱／マッサージモジュール１５０ｂの全５つのピースから構成されることを特徴とする。
【００２４】
また、本発明において、温熱／マッサージモジュール集合１５０ａ〜１５０ｅの下部エアセル１５０−２に空気を注入する弁は、ソレノイド弁１７０を用い、真空モータ１４０から各エアセル１５０−１、１５０−２に順次空気が注入されるように、制御部１８０がソレノイド弁１７０及び真空モータ１４０を制御することを特徴とする。
【発明の効果】
【００２５】
本発明の実施形態に係る温熱とエアセルを用いた便秘治療器は、慢性便秘の緩和のための補完療法として、腹部マッサージを温熱とともに提供し、エアセルを活用することで、過剰な圧力により腸内部の食べ物が逆方向に逆流（腸捻転の発生）することを抑えられるといった効果を奏する。
【００２６】
また、本発明の他の実施形態に係る温熱とエアセルを用いた便秘治療器は、腹部筋肉の強化、腸の蠕動運動の亢進、腸の通過時間の減少及び大腸の規則性と排便機能を促すことで便秘症状を改善できるといった効果を奏する。
【００２７】
さらに、本発明の他の実施形態に係る温熱とエアセルを用いた便秘治療器は、腹部マッサージを活用することで、非侵襲的であり、人体に有害な副作用がなく、簡単に行えるので患者自ら十分に実施できるといった効果を奏する。
【図面の簡単な説明】
【００２８】
【図１】本発明の実施形態に係る温熱とエアセルを用いた便秘治療器１００を示す斜視図である。
【図２】本発明の実施形態に係る温熱とエアセルを用いた便秘治療器１００の右側面図（図２Ａ）及び入力装置部１３０（図２Ｂ）を示す図である。
【図３】本発明の実施形態に係る温熱とエアセルを用いた便秘治療器１００の正面図（図３Ａ）及び左側面図（図３Ｂ）を示す図である。
【図４】本発明の実施形態に係る温熱とエアセルを用いた便秘治療器１００において、背面に付着されている温熱／マッサージモジュール集合１５０ａ〜１５０ｅの配列を説明するための図である。
【図５】本発明の実施形態に係る温熱とエアセルを用いた便秘治療器１００において、温熱／マッサージモジュール集合１５０ａ〜１５０ｅの配列によるマッサージ方法を説明するための図である。
【図６】本発明の実施形態に係る温熱とエアセルを用いた便秘治療器１００において、温熱／マッサージモジュール集合１５０ａ〜１５０ｅの各温熱／マッサージモジュールを構成する上部エアセル１５０−１及び下部エアセル１５０−２の構造を示す図である。
【図７】図６のＡ−Ａ’における切断断面図である。
【図８】本発明の実施形態に係る温熱とエアセルを用いた便秘治療器１００の各構成要素を示すブロック図である。
【発明を実施するための形態】
【００２９】
以下、添付図面を参照して本発明の好ましい実施形態について詳しく説明する。なお、本発明を説明するにあたり、本発明に係る公知機能または構成についての具体的な説明が、本発明の要旨を不明瞭にすると判断される場合には、その詳細な説明を省略する。
【００３０】
本明細書において、ある一構成要素が他の構成要素にデータまたは信号を「転送」する場合は、構成要素は、他の構成要素に直接前記データまたは信号を転送してもよく、少なくとも一つの更なる構成要素を介してデータまたは信号を他の構成要素に転送してもよいことを意味する。
【００３１】
図１ないし図８を参照すると、温熱とエアセルを用いた便秘治療器１００は、曲面型フレーム１１０、ベルト付着端１２０、入力装置部１３０、真空モータ１４０、温熱／マッサージモジュール集合１５０ａ〜１５０ｅ、充電バッテリーで形成可能な充電部１６０、ソレノイド弁集合１７０ａ〜１７０ｅ、そして制御部１８０を備えてもよい。
【００３２】
真空モータ１４０は、温熱とエアセルを用いた便秘治療器１００の曲面型フレーム１１０の内部空間部に設置され、エアセル部材に供給管１を介して生成された空気を供給する。
【００３３】
ソレノイド弁集合１７０ａ〜１７０ｅを構成する各ソレノイド弁１７０は、温熱とエアセルを用いた便秘治療器１００の曲面型フレーム１１０の内部空間部内において、供給管１に設置され、空気の流れを制御することができる。
【００３４】
ここで、温熱／マッサージモジュール集合は、右側下部の温熱／マッサージモジュール１５０ａ、右側の温熱／マッサージモジュール１５０ｂ、中央の温熱／マッサージモジュール１５０ｃ、左側下部の温熱／マッサージモジュール１５０ｄ、及び左側の温熱／マッサージモジュール１５０ｅで構成されてもよい。
【００３５】
そして、各温熱／マッサージモジュール１５０ａ〜１５０ｅは、上部エアセル１５０−１、下部エアセル１５０−２、及び温熱発生モジュール１５０−３を備えてもよい。
【００３６】
ソレノイド弁集合は、右側下部のソレノイド弁１７０ａ、右側のソレノイド弁１７０ｂ、中央のソレノイド弁１７０ｃ、左側下部のソレノイド弁１７０ｄ、及び左側のソレノイド弁１７０ｄで構成されてもよい。
【００３７】
そして、各ソレノイド弁１７０ａ〜１７０ｅは、ソレノイド弁１７０を備えてもよい。
【００３８】
すなわち、図４に示すように、温熱とエアセルを用いた便秘治療器１００は、５つのピースに分割されている温熱／マッサージモジュール１５０ａ〜１５０ｅで構成されており、分割されたピースごとに温熱発生モジュール１５０−３とエアセル１５０−１、１５０−２とを備えてもよい。
【００３９】
このように構成される理由は、図５に示すように、大腸の運動とうまくマッチさせるためと、人の骨格構造を考慮した結果であり、誤った形で配置される場合には、骨格に起因する凝りなどの現象が生じる恐れがあるためである。
【００４０】
図６に示すように、温熱発生モジュール１５０−３とエアセル１５０−１、１５０−２とは、人体と接する温熱発生モジュール１５０−３の上部にエアセル１５０−１、１５０−２が重なる形状に形成されることで、温熱発生モジュール１５０−３が内側、すなわち、人体の肌と接するように配置されることが好ましい。
【００４１】
このように形成される理由は、エアセル１５０−１、１５０−２に対する制御部１８０による制御によってエアセル１５０−１、１５０−２が膨張する際に、膨張圧力によってより一層大腸を圧迫するためである。
【００４２】
図６に示すように、エアセル１５０−１、１５０−２は、上部エアセル１５０−１及び下部エアセル１５０−２の２重構造からなり、２重構造で形成される理由は、圧縮及び膨張を容易に行え、人体の肌へと深く押圧できるためである。
【００４３】
すなわち、エアセル部材は、サイズ（面積）が大きいと膨張の度合いが大きいので膨張高さが大きくなるが、分割使用が困難であるので、大腸運動に応じたマッサージをすることができず、小さく分割して用いる場合には、押圧できる高さが小さくなってマッサージの効果がなくなるため、本発明では、上部エアセル１５０−１及び下部エアセル１５０−２に小さく分割しながらも、マッサージ効果を奏するために２重構造で用いる。
【００４４】
この場合、図６及び７に示すように、下部エアセル１５０−２の空気供給口の直径Ｒ１が上部エアセル１５０−１の空気供給口の直径Ｒ２よりも大きく形成されることで、下部エアセル１５０−２の内部体積が上部エアセル１５０−１の内部体積より大きくなるので、空気圧の均衡を保ちながら圧縮膨張を容易に行え、また、下部エアセル１５０−２を介して上部エアセル１５０−１に空気が順次投入されることで、人体深くに位置する腸を刺激するのに効果的である。
【００４５】
一方、上部エアセル１５０−１及び下部エアセル１５０−２の材質は、ＴＰＵ（ポリウレタン素材）で形成されることで、圧縮、膨張が容易であり、圧力に耐えられる耐久力を備えてもよい。
【００４６】
なお、本発明においてエアセル１５０−１及び１５０−２を用いる理由は、従来のマッサージ機械で使用しているカムを用いて大腸へのマッサージを行うと、カムは、強弱の調節が困難であり、骨のある箇所に触れると追加圧力が発生しないので空気圧を活用する方法を取っている。
【００４７】
図４及び図５に示すように、エアセル１５０−１及び１５０−２と温熱発生モジュール１５０−３とを有する分割部分（５ピース）は、上部は、一つのピースに該当する中央の温熱／マッサージモジュール１５０ｃで形成され、下部は、２つのピースである右側下部の温熱／マッサージモジュール１５０ａ及び左側下部の温熱／マッサージモジュール１５０ｄ、さらに、左、右側のそれぞれのピースに該当する左側の温熱／マッサージモジュール１５０ｅ、右側の温熱／マッサージモジュール１５０ｂの全５つのピースから構成されてもよい。
【００４８】
このような理由は、上部に該当する中央の温熱／マッサージモジュール１５０ｃの形成領域は、大腸が繋がっているので一つのピースでマッサージをすることができるが、その下部に該当する右側下部の温熱／マッサージモジュール１５０ａ、右側の温熱／マッサージモジュール１５０ｂ、左側下部の温熱／マッサージモジュール１５０ｄ、及び左側の温熱／マッサージモジュール１５０ｅの形成領域には、大腸が互いに繋がっていないので大腸の運動に応じた構成とするためである。また、左右側のピースに該当する右側の温熱／マッサージモジュール１５０ｂ及び左側の温熱／マッサージモジュール１５０ｅは、人体の骨格に合わせて位置を指定して形成されることが好ましい。
【００４９】
そして、温熱／マッサージモジュール集合１５０ａ〜１５０ｅの各エアセル１５０−１、１５０−２に空気を注入する弁は、ソレノイド弁１７０を用い、真空モータ１４０から先に下部エアセル１５０−２に空気が注入されるように、制御部１８０が各ソレノイド弁１７０及び真空モータ１４０を制御してもよい。
【００５０】
制御部１８０による、温熱／マッサージモジュール集合１５０ａ〜１５０ｅを構成する右側下部の温熱／マッサージモジュール１５０ａ、右側の温熱／マッサージモジュール１５０ｂ、中央の温熱／マッサージモジュール１５０ｃ、左側下部の温熱／マッサージモジュール１５０ｄ、及び左側の温熱／マッサージモジュール１５０ｅにそれぞれ形成されたエアセル１５０−１、１５０−２に対する動作方法について説明する。
【００５１】
制御部１８０は、右側下部の温熱／マッサージモジュール１５０ａと右側の温熱／マッサージモジュール１５０ｂとに備えられた上部及び下部エアセル１５０−１、１５０−２に真空モータ１４０から提供される空気を注入するように、右側下部のソレノイド弁１７０ａと右側のソレノイド弁１７０ｂとに備えられたソレノイド弁１７０に対する開弁（ＯＮ）制御によって空気を下部エアセル１５０−２に注入し、上部及び下部エアセル１５０−１、１５０−２に空気を注入する。
【００５２】
以降、制御部１８０は、右側下部のソレノイド弁１７０ａに対する閉弁（ＯＦＦ）制御によって右側下部の温熱／マッサージモジュール１５０ａの上部及び下部エアセル１５０−１、１５０−２の内部の空気を除去し、右側の温熱／マッサージモジュール１５０ｂに備えられた上部及び下部エアセル１５０−１、１５０−２では空気圧を維持したまま、上部のエアセルに該当する中央の温熱／マッサージモジュール１５０ｃの上部及び下部エアセル１５０−１、１５０−２に空気を注入し、大腸の右側と上部に空気が注入された状態を維持する。
【００５３】
それから、制御部１８０は、右側にあるエアセル部材に該当する右側の温熱／マッサージモジュール１５０ｂに備えられた上部及び下部エアセル１５０−１、１５０−２に対する空気を除去するように、右側のソレノイド弁１７０ｂに対する閉弁（ＯＦＦ）制御によって空気を除去するとともに、左側のエアセル部材に該当する左側の温熱／マッサージモジュール１５０ｅに備えられた上部及び下部エアセル１５０−１、１５０−２に対する空気を注入するように、左側のソレノイド弁１７０ｅを構成するソレノイド弁１７０に対する開弁（ＯＮ）制御を行うことで、大腸の上部と左側で空気圧が維持されるようにする。
【００５４】
最後に、制御部１８０は、上部のエアセル部材である中央の温熱／マッサージモジュール１５０ｃに備えられた上部及び下部エアセル１５０−１、１５０−２に対する空気を除去するように、中央のソレノイド弁１７０ｃに該当するソレノイド弁１７０に対する閉弁（ＯＦＦ）制御を行い、左側のエアセル部材に該当する左側の温熱／マッサージモジュール１５０ｅの上部及び下部エアセル１５０−１、１５０−２の空気を維持した状態で、左側下部のエアセル部材に該当する左側下部の温熱／マッサージモジュール１５０ｄに備えられた上部及び下部エアセル１５０−１、１５０−２に対する空気を注入するように、左側下部のソレノイド弁１７０ｄに該当するソレノイド弁１７０に対する開弁（ＯＮ）制御を行い、空気を注入する。
【００５５】
それにより、腸の運動方向と同様に隣接する２つのエアセル部材で空気を維持することで、腸運動と同様に時計回りで空気圧が注入されるようにする。このようにしなければ、腸内部の食べ物が逆方向に逆流（腸捻転の発生）する恐れがあるためである。
【００５６】
また、本発明の実施形態において、各温熱／マッサージモジュール１５０ａ〜１５０ｅに形成された温熱発生モジュール１５０−３は、ＰＣＢ発熱体であり、制御部１８０の制御によって各温熱／マッサージモジュール１５０ａ〜１５０ｅに備えられた上部及び下部エアセル１５０−１、１５０−２の内部に空気が注入される場合、併せて制御部１８０の制御を受けて温熱を発生させ、各温熱／マッサージモジュール１５０ａ〜１５０ｅに備えられた上部及び下部エアセル１５０−１、１５０−２の内部への空気注入は、前述のように真空モータ１４０によって行われるため、真空モータ１４０によって生成された空気が、前述のように順次各温熱／マッサージモジュール１５０ａ〜１５０ｅに形成された上部及び下部エアセル１５０−１、１５０−２の内部への注入と排出を繰り返すことで、大腸の活性化を促し、便秘を治療することができる。
【００５７】
本発明の制御部１８０は、１回１５分が過ぎた後には強制停止するように安全装置機能を備え、温熱発生モジュール１５０−３による発熱温度は、最大８０℃を越えないように温度センシング機能をさらに備えることが好ましい。
【００５８】
前述のように、本明細書及び図面には、本発明の好ましい実施形態が開示されており、特定の用語によって説明されているものの、これは単に本発明の技術内容を分かりやすく説明し、発明の容易な理解のための一般的な意味で用いられたものにすぎず、本発明の範囲を限定しようとする意図ではない。ここに開示されている実施形態の他にも、本発明の技術的思想に基づく他の様々な変形が実施可能であることは、本発明が属する技術分野における通常の知識を有する者であれば自明である。
【図１】
2019181151.tif 000003
【図２】
2019181151.tif 000004
【図３】
2019181151.tif 000005
【図４】
2019181151.tif 000006
【図５】
2019181151.tif 000007
【図６】
2019181151.tif 000008
【図７】
2019181151.tif 000009
【図８】
2019181151.tif 000010